(57)【要約】【課題】縦部材に対する左右の可動部材の着脱及び蝶番の着脱により左開き内開き式、右開き外開き式、左開き外開き式及び右開き内開き式の４種類のドア構造に変更することができ、４種類のドア構造相互間の変更に際し、容易に変更することができ、ドア構造変更に対する簡便即応性を向上することができる。【解決手段】左右一対の縦部材２・３の内面にそれぞれ可動部材７・８を着脱自在に取り付け、可動部材の内面中央部に戸当凸部１０をドア開口部Ｆに向けて長手方向に突設し、蝶番Ｔのドア側板Ｔ１をドア５に取り付け、可動部材の戸当凸部を除く内面に蝶番の枠側板Ｔ２を取付けてなる。【選択図】図１
2011179211.tif 000002
【特許請求の範囲】
【請求項１】
ドア開口部の内面に固定した左右一対の縦部材及び上部の横部材からなるドア枠と、該ドア枠の内方開口部を開閉可能なドアと、該内方開口部内に該ドアを片開き自在に枢支可能なドア側板及び枠側板からなる蝶番と、該ドアの閉口位置を定める戸当凸部とからなり、上記左右一対の縦部材の内面にそれぞれ可動部材を着脱自在に取り付け、該可動部材の内面中央部に上記戸当凸部をドア開口部に向けて長手方向に突設し、該蝶番のドア側板を上記ドアに取り付け、該可動部材の戸当凸部を除く内面に上記蝶番の枠側板を取付けてなることを特徴とする片開き式ドア構造。
【請求項２】
上記可動部材は上記縦部材にビスにより着脱自在に取り付けられていることを特徴とする請求項１記載の片開き式ドア構造。
【請求項３】
上記蝶番のドア側板は上記ドアにビスにより着脱自在に取り付けられていることを特徴とする請求項１又は２記載の片開き式ドア構造。
【請求項４】
上記戸当凸部は上記可動部材に対して別体又は一体に形成されていることを特徴とする請求項１〜３のいずれか１項に記載の片開き式ドア構造。
【請求項５】
上記請求項１〜４のいずれか１項に記載の片開き式ドア構造を備えてなることを特徴とする建物。
【発明の詳細な説明】
【技術分野】
【０００１】
本発明は建物の出入り口に施工される片開き式ドア構造及びそれを備えた建物に関するものである。
【背景技術】
【０００２】
従来、この種の片開き式ドア構造として、開き勝手により、ドアの左側を開ける左開き方式及びドアの右側を開ける右開き方式、また、ドアの開け方により、ハンドルを押してドアを開ける外開き方式と、ハンドルを引いてドアを開ける内開き方式とがあり、このことから左開き内開き式、左開き外開き式、右開き外開き及び右開き内開き式の４種類のドア構造が知られており、そして、これら４種類のドア構造を変更可能とするため、ドア及び縦枠部材を高さ方向中央を境にして上下対称にした構造が知られている。
【特許文献１】特開平１１−３３６４２６号公報
【発明の開示】
【発明が解決しようとする課題】
【０００３】
しかしながら上記従来構造の場合、現場の状況によっては、上記４種類のドア構造相互間の変更に際しての簡便即応性の面において面倒なことがあるという不都合を有している。
【課題を解決するための手段】
【０００４】
本発明はこれらの不都合を解決することを目的とするもので、本発明のうちで、請求項１記載の発明は、ドア開口部の内面に固定した左右一対の縦部材及び上部の横部材からなるドア枠と、該ドア枠の内方開口部を開閉可能なドアと、該内方開口部内に該ドアを片開き自在に枢支可能なドア側板及び枠側板からなる蝶番と、該ドアの閉口位置を定める戸当凸部とからなり、上記左右一対の縦部材の内面にそれぞれ可動部材を着脱自在に取り付け、該可動部材の内面中央部に上記戸当凸部をドア開口部に向けて長手方向に突設し、該蝶番のドア側板を上記ドアに取り付け、該可動部材の戸当凸部を除く内面に上記蝶番の枠側板を取付けてなることを特徴とする片開き式ドア構造にある。
【０００５】
又、請求項２記載の発明は、上記可動部材は上記縦部材にビスにより着脱自在に取り付けられていることを特徴とするものであり、又、上記請求項３記載の発明は、上記蝶番のドア側板は上記ドアにビスにより着脱自在に取り付けられていることを特徴とするものであり、又、上記請求項４記載の発明は、上記戸当凸部は上記可動部材に対して別体又は一体に形成されていることを特徴とするものである。
【０００６】
又、上記請求項５記載の発明は、上記請求項１〜４のいずれか１項に記載の片開き式ドア構造を備えてなることを特徴とする建物にある。
【発明の効果】
【０００７】
本発明は上述の如く、請求項１又は５記載の発明にあっては、開き方式の仕様変更に伴い、例えば左開き内開き式から右開き外開き式に変更する場合には、左右の可動部材をそれぞれ左右反対位置に取り付け、又、左開き内開き式から左開き外開き式に変更する場合には、ドアから蝶番のドア側板を取り外したのち、左右の可動部材をそれぞれ上下反転させ、取り外した蝶番のドア側板を再びドアに取り付け、又、左開き内開き式から右開き内開き式に変更する場合には、ドアから蝶番のドア側板を取り外したのち、左右の可動部材をそれぞれ上下反転させると共に左右の可動部材をそれぞれ左右反対位置に取り付け、取り外した蝶番のドア側板を再びドアに取り付けることになり、したがって、縦部材に対する左右の可動部材の着脱及び蝶番の着脱により左開き内開き式、右開き外開き式、左開き外開き式及び右開き内開き式の４種類のドア構造に変更することができ、４種類のドア構造相互間の変更に際し、容易に変更することができ、ドア構造変更に対する簡便即応性を向上することができる。
【０００８】
又、請求項２記載の発明にあっては、上記可動部材は上記縦部材にビスにより着脱自在に取り付けられているから、構造を簡素化することができ、又、請求項３記載の発明にあっては、上記蝶番のドア側板は上記ドアにビスにより着脱自在に取り付けられているから、構造を簡素化することができ、又、請求項４記載の発明にあっては、上記戸当凸部は上記可動部材に対して別体又は一体に形成されているから、別体にすることにより製作が容易となり、一体にすることにより在庫管理が容易となる。
【発明を実施するための最良の形態】
【０００９】
図１乃至図７は本発明の実施の形態例を示し、その図２は第一使用例、図８はその第二使用例、図９は第三使用例、図１０は第四使用例を示し、１はドア枠であって、左右一対の縦部材２・３及び上部の横部材４の３個の構成部材からなり、建物Ｅに形成されたドア開口部Ｆの内面、この場合、柱材Ｖ及び梁材Ｈの内面にビスや釘などにより取付け固定されている。
【００１０】
５はドアであって、上記ドア枠１の左右一対の縦部材２・３及び上部の横部材４に囲まれた内方開口部Ｋを開閉可能な大きさに形成され、ドア５の一方側部にラッチボルト６ａを有するハンドル６が取り付けられ、図１、図３の如く、図中ドア５の右側の側辺部に上記内方開口部Ｋ内にドア５を片開き自在に枢支可能なドア側板Ｔ１及び枠側板Ｔ２からなる蝶番Ｔのドア側板Ｔ１をビスＢにより着脱自在に取り付けて構成している。
【００１１】
７・８は可動部材であって、上記左右一対の縦部材２・３の内面にそれぞれ可動部材がビスＢにより着脱自在に取り付けられ、この場合、加えて、横部材４の内面にも可動部材９を着脱自在に取り付けて構成している。
【００１２】
１０は戸当凸部であって、この場合、上記左右一対の縦部材２・３の内面及び横部材４の内面中央部にビスや釘によりドア開口部Ｆに向けて長手方向に突設され、戸当凸部１０にドア５が当接してドア５の閉口位置を定めるように構成している。
【００１３】
この場合、図１、図３の如く、右側の可動部材８の戸当凸部１０を除く内面に上記蝶番の枠側板Ｔ２を取付け、図１の如く、ドア５の左側に上記ハンドル６が位置すると共に図中左側の可動部材７の上記戸当凸部１０を除く内面にラッチボルト６ａを受けるボルト受け１１を形成している。
【００１４】
この実施の形態例は上記構成であるから、ドア開口部Ｆの内面に左右一対の縦部材２・３及び上部の横部材４からなるドア枠１が固定され、左右一対の縦部材２・３の内面に可動部材７・８が着脱自在に取り付けられ、可動部材７・８の内面中央部に戸当凸部１０がドア開口部Ｆに向けて長手方向に突設され、この場合、図１の如く、右側の可動部材８の戸当凸部１０を除く内面に上記蝶番の枠側板Ｔ２を取付け、蝶番Ｔのドア側板Ｔ１をビスＢによりドア５の右側辺部に着脱自在に取付けられており、しかして、図２の如く、ドア５は右開き内開き式で片開き式のドア構造となっている。
【００１５】
この際、現場等において、開き方式の仕様変更に伴い、例えば、図２の第一使用例の左開き内開き式から図８の第二使用例の右開き外開き式に変更する場合には、左右の可動部材７・８をそれぞれ左右反対位置に上下反転せずに１８０度水平旋回して取り付けることになり、又、図２の第一使用例の左開き内開き式から図９の第三使用例の左開き外開き式に変更する場合には、ドア５から蝶番Ｔのドア側板Ｔ１を取り外したのち、左右の可動部材７・８をそれぞれ上下反転させ、取り外した蝶番Ｔのドア側板Ｔ１を再びドア５に取り付けることになり、又、図２の第一使用例の左開き内開き式から図１０の第四使用例の右開き内開き式に変更する場合には、ドア５から蝶番Ｔのドア側板Ｔ１を取り外したのち、左右の可動部材７・８をそれぞれ上下反転させると共に左右の可動部材７・８をそれぞれ１８０度水平旋回して左右反対位置に取り付け、取り外した蝶番Ｔのドア側板Ｔ１を再びドア５に取り付けることになる。
【００１６】
したがって、縦部材２・３に対する左右の可動部材７・８の着脱及びドアと蝶番Ｔとの着脱により図２の左開き内開き式、図８の右開き外開き式、図９の左開き外開き式及び図１０の右開き内開き式の４種類のドア構造に変更することができ、４種類のドア構造相互間の変更に際し、容易に変更することができ、ドア構造変更に対する簡便即応性を向上することができる。尚、左右の可動部材７・８をそれぞれ上下反転させた場合において、必要に応じ、蝶番Ｔの枠側板Ｔ２と可動部材７・８との取付位置を変更することもある。
【００１７】
この場合、上記可動部材７・８は上記縦部材２・３にビスＢにより着脱自在に取り付けられているから、構造を簡素化することができ、又、この場合、上記蝶番Ｔのドア側板Ｔ１は上記ドア５にビスＢにより着脱自在に取り付けられているから、構造を簡素化することができ、又、この場合、上記戸当凸部１０は上記可動部材７・８に対して別体又は一体に形成されているから、別体にすることにより製作が容易となり、一体にすることにより在庫管理が容易となる。
【００１８】
尚、本発明は上記実施の形態例に限られるものではなく、ドア枠１、縦部材２・３、横部材４、可動部材７・８、戸当凸部１０の構造等は適宜変更して設計されるものである。
【００１９】
以上、所期の目的を充分達成することができる。
【図面の簡単な説明】
【００２０】
【図１】本発明の実施の形態例の正面図である。
【図２】本発明の実施の形態例の第一使用例の平断面図である。
【図３】本発明の実施の形態例の拡大平断面図である。
【図４】本発明の実施の形態例の部分斜視図である。
【図５】本発明の実施の形態例の部分斜視図である。
【図６】本発明の実施の形態例の横断面図である。
【図７】本発明の実施の形態例の部分斜視図である。
【図８】本発明の実施の形態例の第二使用例の拡大平断面図である。
【図９】本発明の実施の形態例の第三使用例の拡大平断面図である。
【図１０】本発明の実施の形態例の第四使用例の拡大平断面図である。
【符号の説明】
【００２１】
Ｆ    ドア開口部
Ｋ    内方開口部
Ｔ１    ドア側板
Ｔ２    枠側板
Ｔ    蝶番
Ｂ    ビス
１    ドア枠
２    縦部材
３    縦部材
４    横部材
５    ドア
７    可動部材
８    可動部材
１０    戸当凸部
【図１】
2011179211.tif 000003
【図２】
2011179211.tif 000004
【図３】
2011179211.tif 000005
【図４】
2011179211.tif 000006
【図５】
2011179211.tif 000007
【図６】
2011179211.tif 000008
【図７】
2011179211.tif 000009
【図８】
2011179211.tif 000010
【図９】
2011179211.tif 000011
【図１０】
2011179211.tif 000012